(57)【要約】【課題】半導体パッケージの上面に実装される電子素子に供給可能な電流を大きくする。【解決手段】電子デバイス７００は、半導体チップ５と、半導体チップ５を収容するパッケージ１と、半導体チップ５が載置されパッケージ１の長方形の第１面の中央側に露出する第１部分と、第１部分から前記第１面の第１辺側又は第１辺と反対側の第２辺側へ延出し第１部分よりも幅狭の第２部分とをそれぞれ備え、半導体チップ５と電気的に結合した複数の端子２と、パッケージ１の第１面から、第１面と反対側の第２面まで貫通し、第１面の方向における断面積が、第１面における複数の端子２の面積よりも大きく、かつ半導体チップ１に対して、第１辺と直交する方向の辺の側である第３辺側及び第４辺側に設けられており、電子部品を実装するためのランドとして機能する複数の銅ポスト３と、を有する。【選択図】図１０
2018125530.tif 000002
【特許請求の範囲】
【請求項１】
半導体チップと、
前記半導体チップを収容する収容部と、
前記半導体チップが載置され前記収容部の長方形の第１面の中央側に露出する第１部分と、前記第１部分から前記第１面の第１辺側又は前記第１辺と反対側の第２辺側へ延出し前記第１部分よりも幅狭の第２部分とをそれぞれ備え、前記半導体チップと電気的に結合した複数の端子と、
前記収容部の前記第１面から、前記第１面と反対側の第２面まで貫通し、前記第１面の方向における断面積が、前記第１面における前記複数の端子の面積よりも大きく、かつ前記半導体チップに対して、前記第１辺と直交する方向の辺の側である第３辺側及び第４辺側に設けられており、電子部品を実装するためのランドとして機能する複数の導電性部材と、
を有する電子デバイス。
【請求項２】
前記複数の端子は、それぞれ前記第１部分から前記第３辺側又は前記第４辺側へ延出し前記第１部分よりも幅狭の第３部分を更に備える、
請求項１に記載の電子デバイス。
【請求項３】
前記複数の端子の前記第２部分及び前記第３部分は、前記第１部分に対して放射状に位置している、
請求項２に記載の電子デバイス。
【請求項４】
前記導電性部材は、前記複数の端子のうちの隣接する２つの端子の前記第３部分の間に位置している、
請求項２又は３に記載の電子デバイス。
【請求項５】
前記複数の端子は、第１端子群であり、
前記半導体チップに対して前記第３辺側と前記第４辺側に設けられ、前記第１面に露出している第２端子群と、
前記半導体チップと前記第２端子群との間を結合するボンディングワイヤと、を更に有する、
請求項１に記載の電子デバイス。
【請求項６】
前記第２端子群は、前記第３辺側又は前記第４辺側において、前記複数の導電性部材の各々に隣接するように設けられている、
請求項５に記載の電子デバイス。
【請求項７】
前記半導体チップは、第１半導体チップであり、
前記第１半導体チップ上に載置され、前記第１半導体チップにボンディングワイヤを介して結合されている第２半導体チップを更に有する、
請求項５又は６に記載の電子デバイス。
【請求項８】
前記第１半導体チップに対して前記第１辺側と前記第２辺側に設けられ、前記第２半導体チップにボンディングワイヤを介して結合されている第３端子群を更に有する、
請求項７に記載の電子デバイス。
【請求項９】
前記第１端子群の各端子は、前記第１部分から前記第１辺側又は前記第２辺側へ延出し前記第１部分よりも幅狭の第３部分を更に備え、
前記第３部分は、前記第２端子群の端子と前記第３端子群の端子の間を分離している、
請求項８に記載の電子デバイス。
【発明の詳細な説明】
【技術分野】
【０００１】
本発明は、半導体を含む電子デバイスに関する。
【背景技術】
【０００２】
半導体パッケージ上に、他の電子素子を搭載することができる半導体パッケージが知られている。特許文献１においては、それぞれ厚みが異なる領域を有するリードフレームを用いることで、ダイパッドと同じ厚みの端子と、ダイパッドよりも大きな厚みの端子とを有する半導体パッケージが開示されている。
【先行技術文献】
【特許文献】
【０００３】
【特許文献１】特許第５９６８８２７号公報
【発明の概要】
【発明が解決しようとする課題】
【０００４】
特許文献１で開示されている半導体パッケージにおいては、ダイパッドよりも大きな厚みの端子を半導体パッケージの上面に露出させることで、半導体パッケージ上に他の電子素子を搭載できる構成となっている。ところが、従来の半導体パッケージにおいては、他の電子素子を接続するための端子の断面積が、半導体パッケージの上面に露出していない他の端子の断面積と同程度の面積であった。したがって、大電流を流す電子素子を搭載した場合の放熱性が不十分であり、小型化が困難であるという問題があった。
【０００５】
そこで、本発明はこれらの点に鑑みてなされたものであり、半導体パッケージの上面に電子素子を搭載することが可能な電子デバイスの放熱性を向上させることを目的とする。
【課題を解決するための手段】
【０００６】
本発明の一の態様の電子デバイスは、半導体チップと、前記半導体チップを収容する収容部と、前記半導体チップが載置され前記収容部の長方形の第１面の中央側に露出する第１部分と、前記第１部分から前記第１面の第１辺側又は前記第１辺と反対側の第２辺側へ延出し前記第１部分よりも幅狭の第２部分とをそれぞれ備え、前記半導体チップと電気的に結合した複数の端子と、前記収容部の前記第１面から、前記第１面と反対側の第２面まで貫通し、前記第１面の方向における断面積が、前記第１面における前記複数の端子の面積よりも大きく、かつ前記半導体チップに対して、前記第１辺と直交する方向の辺の側である第３辺側及び第４辺側に設けられており、電子部品を実装するためのランドとして機能する複数の導電性部材と、を有する
【０００７】
上記の電子デバイスにおいて、前記複数の端子は、それぞれ前記第１部分から前記第３辺側又は前記第４辺側へ延出し前記第１部分よりも幅狭の第３部分を更に備えることとしてもよい。
【０００８】
上記の電子デバイスにおいて、前記複数の端子の前記第２部分及び前記第３部分は、前記第１部分に対して放射状に位置していることとしてもよい。
【０００９】
上記の電子デバイスにおいて、前記導電性部材は、前記複数の端子のうちの隣接する２つの端子の前記第３部分の間に位置していることとしてもよい。
【００１０】
上記の電子デバイスにおいて、前記複数の端子は、第１端子群であり、前記半導体チップに対して前記第３辺側と前記第４辺側に設けられ、前記第１面に露出している第２端子群と、前記半導体チップと前記第２端子群との間を結合するボンディングワイヤと、を更に有することとしてもよい。
【００１１】
上記の電子デバイスにおいて、前記第２端子群は、前記第３辺側又は前記第４辺側において、前記複数の導電性部材の各々に隣接するように設けられていることとしてもよい。
【００１２】
上記の電子デバイスにおいて、前記半導体チップは、第１半導体チップであり、前記第１半導体チップ上に載置され、前記第１半導体チップにボンディングワイヤを介して結合されている第２半導体チップを更に有することとしてもよい。
【００１３】
上記の電子デバイスにおいて、前記第１半導体チップに対して前記第１辺側と前記第２辺側に設けられ、前記第２半導体チップにボンディングワイヤを介して結合されている第３端子群を更に有することとしてもよい。
【００１４】
上記の電子デバイスにおいて、前記第１端子群の各端子は、前記第１部分から前記第１辺側又は前記第２辺側へ延出し前記第１部分よりも幅狭の第３部分を更に備え、前記第３部分は、前記第２端子群の端子と前記第３端子群の端子の間を分離していることとしてもよい。
【発明の効果】
【００１５】
本発明によれば、半導体パッケージの上面に電子素子を搭載することが可能な電子デバイスの放熱性を向上させることができるという効果を奏する。
【図面の簡単な説明】
【００１６】
【図１】第１の実施形態に係る電子デバイスの外観図である。
【図２】第１の実施形態に係る電子デバイスの内部構成について説明するための図である。
【図３】第１の実施形態に係る電子デバイスを製造する過程で使用されるリードフレームの外形を示す図である。
【図４】第１の実施形態に係る電子デバイスの製造方法について説明するための図である。
【図５】第２の実施形態に係る電子デバイスの内部構成図である。
【図６】第３の実施形態に係る電子デバイスの内部構成図である。
【図７】第４の実施形態に係る電子デバイスの内部構成図である。
【図８】第５の実施形態に係る電子デバイスの内部構成図である。
【図９】第６の実施形態に係る電子デバイスの内部構成図である。
【図１０】第７の実施形態に係る電子デバイスの内部構成図である。
【図１１】第８の実施形態に係る電子デバイスの内部構成図である。
【図１２】第９の実施形態に係る電子デバイスの内部構成図である。
【図１３】第１０の実施形態に係る電子デバイスの内部構成図である。
【図１４】第１１の実施形態に係る電子デバイスの内部構成図である。
【図１５】第１２の実施形態に係る電子デバイスの内部構成図である。
【図１６】本発明の適用範囲の一例を示す表である。
【図１７】電子デバイスの放熱性を確認する実験結果を示す図である。
【発明を実施するための形態】
【００１７】
＜第１の実施形態＞
［電子デバイス１００の概要］
図１は、第１の実施形態に係る電子デバイス１００の外観図である。図１（ａ）は、電子デバイス１００の下面（第１面）を示している。図１（ｂ）は、電子デバイス１００の上面（第２面）を示している。図１（ｃ）は、電子デバイス１００の上面に電子部品１０が実装された状態を示す側面視図である。電子デバイス１００は、例えばＳＯＮ（Small Outline Non-leaded package）又はＱＦＮ（Quad-flat no-leads）タイプのパッケージ構造を有している。
【００１８】
電子デバイス１００の下面及び上面は長方形である。図１（ａ）に示すように、電子デバイス１００の下面には、パッケージ１と、複数の端子２（２ａ〜２ｈ）と、銅ポスト３（３ａ，３ｂ）と、ダイパッド４の裏面とが露出している。ダイパッド４の表面には、電子デバイス１００が内蔵する半導体チップが設けられている。図１（ｂ）に示すように、電子デバイス１００の上面には、パッケージ１と銅ポスト３（３ａ，３ｂ）とが露出している。電子部品１０は、銅ポスト３ａ及び銅ポスト３ｂに電気的に結合されている。
【００１９】
パッケージ１は、内部に半導体チップを収容する収容部である。パッケージ１は、例えば樹脂により形成されているが、パッケージ１の材質は任意である。端子２は、導電性の部材により形成されており、パッケージ１の内部の半導体チップと電気的に結合している。端子２は、パッケージ１の下面に露出しており、電子デバイス１００をプリント基板に実装する際に半田付けされる。
【００２０】
銅ポスト３は、図１（ｃ）に示すようにパッケージ１の下面から上面まで貫通する棒状の導電性部材である。銅ポスト３は、電子デバイス１００の上面に露出する面が、インダクタ、キャパシタ、抵抗、半導体デバイス等の各種の電子部品１０を実装するためのランドとして機能する。
【００２１】
銅ポスト３の水平方向、すなわち第１面又は第２面と平行な方向における断面積は、端子２の水平方向の断面積よりも大きい。したがって、銅ポスト３の電流容量は端子２の電流容量よりも大きいので、電子デバイス１００のユーザは、大電流を流す電子部品１０を電子デバイス１００に実装することができる。ユーザは、例えば、電流をスイッチングするトランジスタを含む半導体チップ５を内蔵する電子デバイス１００の上面にインダクタを実装することで、小型のＤＣ／ＤＣコンバータを構成することができる。
【００２２】
図１（ｃ）に示すように、電子デバイス１００の側面には複数の端子２が露出しているが、銅ポスト３は、電子デバイス１００の側面に露出していない。銅ポスト３が電子デバイス１００の側面に露出していないことにより、電子デバイス１００の上面に実装された電子部品１０に通電される信号が、電子デバイス１００の側面に現れない。したがって、電子デバイス１００の近傍に他の電子デバイスが配置されても、銅ポスト３を流れる電流が他の電子デバイスに与える影響が小さいので、電子デバイス１００を用いることで、ユーザは装置の小型化を実現することが可能になる。
【００２３】
［電子デバイス１００の内部構成］
図２は、電子デバイス１００の内部構成について説明するための図である。図２（ａ）は、電子デバイス１００の上面側から内部を透視した構成の模式図である。図２（ｂ）は、電子デバイス１００のＡ−Ａ線断面図である。図２に示すように、電子デバイス１００は、ダイパッド４と、半導体チップ５と、ボンディングワイヤ６とを有している。
【００２４】
ダイパッド４は、半導体チップ５が載置された板状部材であり、端子２と同一の材質の導電性部材により形成されている。ボンディングワイヤ６は、半導体チップ５と端子２とを結合するための導電性部材により形成されたワイヤである。
【００２５】
図２（ａ）に示すように、複数の端子２は、半導体チップ５に対して、第１面の第１辺側、及び第１辺と反対側の第２辺側に設けられている。また、銅ポスト３ａ及び銅ポスト３ｂは、半導体チップ５に対して、第１面の第３辺側、又は第３辺と反対側の第４辺側に設けられている。そして、ダイパッド４は、半導体チップ５を載置するための第１領域（以下、ダイパッド領域４ａという）と、複数の端子と複数の導電性部材とを分離する第２領域（以下、分離領域４ｂという）とを有する。
【００２６】
分離領域４ｂは、後述のリードフレームの外周部にダイパッド領域４ａを接続するための吊りリードに対応する領域であり、電子デバイス１００の下面側がハーフエッチングされていることにより、ダイパッド領域４ａよりも薄く形成されている。したがって、分離領域４ｂは、図１（ａ）に示すように、電子デバイス１００の下面には露出していない。
【００２７】
ダイパッド領域４ａは、ほぼ長方形の形状である。分離領域４ｂは、端子２ａと銅ポスト３ａとの間、端子２ｈと銅ポスト３ａとの間、端子２ｄと銅ポスト３ｂとの間、及び端子２ｅと銅ポスト３ｂとの間においてダイパッド領域４ａから延伸する複数の領域を有する。電子デバイス１００は、複数の端子２と複数の銅ポスト３とを分離する分離領域４ｂを有することで、端子２に入力又は出力する信号と銅ポスト３に入力又は出力する信号との間の干渉を抑制することができる。
【００２８】
［電子デバイス１００の製造方法］
図３は、電子デバイス１００を製造する過程で使用されるリードフレーム２０の外形を示す図である。図３に示すように、複数の端子２が形成される複数の端子領域２Ｘは水平クロスバー２１に接続されている。また、ダイパッド領域４ａは、吊りリード４Ｘを介して、垂直クロスバー２２に接続されている。以下の説明において、水平クロスバー２１及び垂直クロスバー２２を外周部と称する場合がある。図３における破線Ｌは、ダイシング工程において切断される位置を示している。破線Ｌの位置でリードフレーム２０が切断されることにより、図２（ａ）に示すように、端子２とダイパッド４とが電気的に絶縁された状態になる。
【００２９】
図４は、電子デバイス１００の製造方法について説明するための図である。まず、図４（ａ）に示すように、接着剤が塗布されたフィルム３０を準備する。続いて、フィルム３０に、端子２が形成される端子領域２Ｘと、ダイパッド４が形成されるダイパッド領域４ａと、吊りリード４Ｘとを有するリードフレーム２０を載置する。フィルム３０に接着剤が塗布されているので、リードフレーム２０がフィルム３０に固定される。
【００３０】
続いて、図４（ｂ）に示すように、フィルム３０におけるリードフレーム２０の外周部の内側であって、リードフレーム２０が存在しない領域に、銅ポスト３ａ及び銅ポスト３ｂを載置する。続いて、図４（ｃ）に示すように、リードフレーム２０のダイパッド領域に接着剤を塗布し、接着剤上に半導体チップ５を載置することにより、半導体チップ５をダイパッド領域に固定する。
【００３１】
続いて、図４（ｄ）に示すように、リードフレーム２０における端子２と半導体チップ５との間をボンディングワイヤ６で接続する。続いて、図４（ｅ）に示すように、半導体チップ５を覆うように樹脂を注入することにより、パッケージ１を形成する。吊りリード４Ｘはハーフエッチングされておりダイパッド領域４ａよりも薄いので、パッケージ１は、吊りリード４Ｘの下面を覆うように充填される。
【００３２】
続いて、図４（ｆ）に示すように、フィルム３０を除去する。最後に、図４（ｇ）に示すように、複数の銅ポスト３とリードフレーム２０の外周部との間の位置において、リードフレーム２０及びパッケージ１を切断するダイシングを行う。具体的には、図２の破線Ｌで示した位置でダイシングする。以上の工程により、電子デバイス１００が完成する。
【００３３】
なお、以上の各工程のうち、銅ポスト３ａ及び銅ポスト３ｂをフィルム３０に載置する工程と、半導体チップ５をリードフレーム２０のダイパッド領域に載置する工程の実行順序は任意である。また、図４（ｆ）においてフィルム３０を除去しない状態でダイシングし、ダイシングした後にフィルム３０を除去してもよい。
【００３４】
本発明は、端子２、銅ポスト３及びダイパッド４の位置又は形状、並びに半導体チップ５の数、実装方法及び形状が異なる各種の電子デバイスに適用することができる。以下、他の各種の電子デバイスの例について説明する。以下の説明において、電子デバイス１００と同一の構成、及び当業者にとって明らかな構成の説明は省略し、各電子デバイスに特有の構成を中心に説明する。
【００３５】
＜第２の実施形態＞
図５は、第２の実施形態に係る電子デバイス２００の内部構成について説明するための図である。図５（ａ）は、電子デバイス２００の上面側から内部を透視した構成の模式図である。図５（ｂ）は、電子デバイス２００のＡ−Ａ線断面図である。図５（ａ）は、図２（ａ）と実質的に同一である。
【００３６】
電子デバイス２００は、図５（ｂ）に示すように、ダイパッド４と半導体チップ５との間に、ダイアタッチフィルム７が設けられている点で、図２（ｂ）に示した電子デバイス１００の構成と異なり、他の点で同じである。電子デバイス２００の製造方法においては、半導体チップ５をダイパッド４に載置する際に、半導体チップ５の下面にダイアタッチフィルム７を貼付した後に、半導体チップ５をダイパッド４に載置する点で、電子デバイス１００の製造方法と異なり、他の点で同じである。
【００３７】
＜第３の実施形態＞
図６は、第３の実施形態に係る電子デバイス３００の内部構成について説明するための図である。図６（ａ）は、電子デバイス３００の上面側から内部を透視した構成の模式図である。図６（ｂ）は、電子デバイス３００のＡ−Ａ線断面図である。
【００３８】
電子デバイス３００は、図６（ａ）に示すように、ダイパッド４を有しない点で図２（ａ）に示した電子デバイス１００と異なり、他の点で同じである。そして、電子デバイス３００は、図６（ｂ）に示すように、パッケージ１の下面に半導体チップ５が露出している。
【００３９】
電子デバイス３００の製造方法においては、図３に示したリードフレーム２０におけるダイパッド領域４ａ及び吊りリード４Ｘがなく、端子領域２Ｘが形成されたリードフレームが使用される。接着剤が塗布されたフィルム３０を準備した後に、上記のリードフレームをフィルム３０に載置するとともに、銅ポスト３及び半導体チップ５をフィルム３０に載置する。電子デバイス３００の製造方法においては、半導体チップ５をフィルム３０に直接載置する点で、図４を参照しながら説明した電子デバイス１００の製造方法と異なり、その他の工程は、電子デバイス１００の製造方法と同等である。
【００４０】
＜第４の実施形態＞
図７は、第４の実施形態に係る電子デバイス４００の内部構成について説明するための図である。図７（ａ）は、電子デバイス４００の上面側から内部を透視した構成の模式図である。図７（ｂ）は、電子デバイス４００のＡ−Ａ線断面図である。図７（ａ）は、図６（ａ）と実質的に同一である。
【００４１】
電子デバイス４００は、図７（ｂ）に示すように、半導体チップ５の下方に黒色の片面接着テープ８が貼付されている点で、図６（ｂ）に示した電子デバイス３００の構成と異なる。電子デバイス４００の製造方法においては、電子デバイス３００の製造方法において用いられたリードフレームを使用する。フィルム３０を準備した後に、銅ポスト３ａをフィルム３０に載置する位置と銅ポスト３ｂをフィルム３０に載置する位置との間の領域に、接着テープ８を貼付した半導体チップ５を載置する。このように、半導体チップ５に接着テープ８を貼付することにより、ダイパッド４を設けることなく、電子デバイス４００の下面に半導体チップ５が露出しないようにすることができる。
【００４２】
＜第５の実施形態＞
図８は、第５の実施形態に係る電子デバイス５００の内部構成について説明するための図である。図８（ａ）は、電子デバイス５００の上面側から内部を透視した構成の模式図である。図８（ｂ）は、電子デバイス５００のＡ−Ａ線断面図である。
【００４３】
電子デバイス５００は、半導体チップ５として、半導体チップ５ａと、半導体チップ５ａの上面に設けられた半導体チップ５ｂとを有する点で、図２に示した電子デバイス１００と異なり、他の点で同じである。電子デバイス５００の製造方法においては、半導体チップ５をダイパッド４に載置する工程において、まず半導体チップ５ａをダイパッド領域４ａに載置する。その後、半導体チップ５ａに半導体チップ５ｂを載置する。このように、電子デバイス５００は、半導体チップ５ａ，５ｂを有することで、異なる設計ルールが必要な特性が異なる複数の半導体チップを一つのパッケージに収容することができるので、装置の小型化を実現することができる。
【００４４】
＜第６の実施形態＞
図９は、第６の実施形態に係る電子デバイス６００の内部構成について説明するための図である。図９（ａ）は、電子デバイス６００の上面側から内部を透視した構成の模式図である。図９（ｂ）は、電子デバイス６００のＡ−Ａ線断面図である。
【００４５】
電子デバイス６００は、半導体チップ５として、半導体チップ５ｃと、半導体チップ５ｃの隣に設けられた半導体チップ５ｄとを有する点で、図２に示した電子デバイス１００と異なり、他の点で同じである。電子デバイス５００の製造方法においては、半導体チップ５をダイパッド４に載置する工程において、半導体チップ５ｃ及び半導体チップ５ｄを同時に、又は順次、ダイパッド領域４ａに載置する。このように、電子デバイス５００は、半導体チップ５ｃ，５ｄを有することで、電子デバイス５００と同様に、異なる設計ルールが必要な特性が異なる複数の半導体チップを一つのパッケージに収容することができるので、装置の小型化を実現することができる。
【００４６】
＜第７の実施形態＞
図１０は、第７の実施形態に係る電子デバイス７００の内部構成について説明するための図である。図１０（ａ）は、電子デバイス７００の上面側から内部を透視した構成の模式図である。図１０（ｂ）は、電子デバイス７００のＡ−Ａ線断面図である。図１０（ｃ）は、電子デバイス７００に電子部品１０が実装された状態を示す側面視図である。図１０（ｄ）は、電子デバイス７００の下面図である。
【００４７】
電子デバイス７００は、複数の端子２として、端子２ｉ，端子２ｊ，端子２ｋ，端子２ｍ（以下、端子２ｉ〜端子２ｍという）を有する。端子２ｉ〜端子２ｍは、パッケージ１の側面に露出しておらず、パッケージ１の下面の中央付近において露出している。端子２ｉ〜端子２ｍは、銅ポスト３ａと銅ポスト３ｂとの間に、半導体チップ５ｅを載置する領域を有する。半導体チップ５ｅは、パッド面がパッケージ１の下面側を向いており、フリップチップ実装されている。具体的には、図１０（ｂ）に示すように、接着剤を用いて端子２ｉ〜端子２ｍに固定された半田バンプ９を介して端子２ｉ〜端子２ｍに固定されている。
【００４８】
図１０（ｃ）に示すように、半導体チップ５ｅをダイパッド４にフリップチップ実装した場合、電子デバイス７００の側面には端子が露出しない。そして、図１０（ｄ）に示すように、電子デバイス７００の下面に正方形状の端子２ｉ〜端子２ｍが露出した状態となっている。本実施形態においては、端子２ｉ〜端子２ｍの表面積が銅ポスト３ａ及び銅ポスト３ｂの断面積よりも小さいことが想定されているが、端子２ｉ〜端子２ｍの表面積が銅ポスト３ａ及び銅ポスト３ｂの断面積以上であってもよい。
【００４９】
＜第８の実施形態＞
図１１は、第８の実施形態に係る電子デバイス８００の内部構成について説明するための図である。図１１（ａ）は、電子デバイス８００の上面側から内部を透視した構成の模式図である。図１１（ｂ）は、電子デバイス８００のＡ−Ａ線断面図である。
【００５０】
図１１（ａ）及び図１１（ｂ）に示すように、電子デバイス８００は、図１０に示した半導体チップ５ｅと、半導体チップ５ｅ上に設けられた半導体チップ５ｆとを有する。また、電子デバイス８００においては、半導体チップ５ｅが、端子２ｉ，端子２ｊ，端子２ｋ，端子２ｍ（以下、端子２ｉ〜端子２ｍという）にフリップチップ実装されている。また、電子デバイス８００においては、半導体チップ５ｅ及び半導体チップ５ｆが端子２ｎ，端子２ｏ，端子２ｐ，端子２ｑ，端子２ｒ，端子２ｓ，端子２ｔ，端子２ｕ（以下、端子２ｎ〜端子２ｕという）にワイヤボンディングされている。
【００５１】
図１１（ａ）に示す端子２ｉ〜端子２ｍは、図１１（ａ）に示した端子２ｉ〜端子２ｍと形状が若干異なるが、実質的に同等の機能を有している。端子２ｉ〜端子２ｍは、端子２ｎ〜端子２ｕと同一のリードフレームにより形成された同一の材質の板状部材である。
【００５２】
電子デバイス８００は、このように、銅ポスト３ａ及び銅ポスト３ｂの周辺において半導体チップ５ｅがフリップ実装された端子２ｉ〜端子２ｍと、半導体チップ５ｅ及び半導体チップ５ｆがワイヤボンディングされた端子２ｎ〜端子２ｕとを有するので、電子デバイス８００の内部に多様な半導体チップを実装できる。また、電子デバイス８００には、多数の端子を設けることができるので、多機能なデバイスを小型化することができる。
【００５３】
＜第９の実施形態＞
図１２は、第９の実施形態に係る電子デバイス９００の内部構成について説明するための図である。図１２（ａ）は、電子デバイス９００の上面側から内部を透視した構成の模式図である。図１２（ｂ）は、電子デバイス９００のＡ−Ａ線断面図である。
【００５４】
図１２（ａ）に示すように、電子デバイス９００は、端子２ａ〜端子２ｄが設けられている第１辺、端子２ｅ〜端子２ｈが設けられている第２辺と異なる第３辺側に銅ポスト３ｃ及び銅ポスト３ｄが設けられており、第４辺側に銅ポスト３ｅ及び銅ポスト３ｆが設けられている。そして、半導体チップ５が設けられているダイパッド４は、半導体チップ５を載置するダイパッド領域４ａ（第１領域）と、第３辺側の銅ポスト３ｃと銅ポスト３ｄの間を分離する分離領域４ｃ（第２領域）と、第４辺側の３ｅと銅ポスト３ｆの間を分離する分離領域４ｄ（第３領域）と、を有するように形成されている。分離領域４ｃ及び分離領域４ｄはハーフエッチングされており、ダイパッド領域４ａよりも薄く形成されている。したがって、分離領域４ｃ及び分離領域４ｄは、電子デバイス９００の下面に露出していない。
【００５５】
図１２（ｃ）は、銅ポスト３ｄと銅ポスト３ｅとの間に電子部品１０が実装された状態を示している。図１２（ｄ）は、銅ポスト３ｃと銅ポスト３ｄとの間に電子部品１０ａが実装され、銅ポスト３ｅと銅ポスト３ｆとの間に電子部品１０ｂが実装された状態を示している。このように、電子デバイス９００が第３辺側及び第４辺側のそれぞれに複数の銅ポスト３を有することにより、電子デバイス９００の上面に複数の電子部品１０を実装できる。したがって、電子デバイス９００の構成により、より多機能な回路を実現することができる。
【００５６】
＜第１０の実施形態＞
図１３は、第１０の実施形態に係る電子デバイス１０００の内部構成について説明するための図である。図１３（ａ）は、電子デバイス１０００の上面側から内部を透視した構成の模式図である。図１３（ｂ）は、電子デバイス１０００のＡ−Ａ線断面図である。
【００５７】
図１３に示す電子デバイス１０００は、図９に示した電子デバイス６００における銅ポスト３ｂの代わりに銅ポスト３ｇを有する点で電子デバイス６００と異なり、他の点で実質的に電子デバイス６００と同じである。銅ポスト３ｇは、電子デバイス１０００の下面から上面まで貫通している第１領域と、下面に露出し上面まで貫通していない第２領域とを有している。そして、半導体チップ５ｂと銅ポスト３ｇの第２領域とは、ボンディングワイヤ６ｇにより結合されている。
【００５８】
このように、電子デバイス１０００は、半導体チップ５ｂと銅ポスト３ｇとの間を結合するボンディングワイヤ６ｇを有する。したがって、電子デバイス１０００の上面に実装される電子部品１０と、電子デバイス１０００の内部の半導体チップ５ｂとを電気的に接続することができる。
【００５９】
＜第１１の実施形態＞
図１４は、第１１の実施形態に係る電子デバイス１１００の内部構成について説明するための図である。図１４（ａ）は、電子デバイス１１００の上面側から内部を透視した構成の模式図である。図１４（ｂ）は、電子デバイス１１００のＡ−Ａ線断面図である。
【００６０】
電子デバイス１１００は、図１３に示した銅ポスト３ｇの代わりに、銅ポスト３ｈを有する点で電子デバイス１０００と異なり、他の点で同じである。銅ポスト３ｈは、垂直方向の断面形状がＴ字形状をしており、パッケージ１の側面に、パッケージ１の下面から上面まで貫通していない部分の先端が露出している。このように、銅ポスト３ｈにおける厚みが小さい部分の先端がパッケージ１の側面に露出していることにより、図１４（ｃ）に示すように、電子デバイス１１００を基板に半田実装した際にフィレットが形成されるので、車載品にも使用することができる。
【００６１】
＜第１２の実施形態＞
図１５は、第１２の実施形態に係る電子デバイス１２００の内部構成について説明するための図である。図１５（ａ）は、電子デバイス１２００の上面側から内部を透視した構成の模式図である。図１５（ｂ）は、電子デバイス１２００のＡ−Ａ線断面図である。
【００６２】
図１５（ａ）に示すように、電子デバイス１２００は、図９に示した電子デバイス６００が有する第１板状部材であるダイパッド４の他に、端子２及びダイパッド４と同じ材質の第２板状部材５０をさらに有する。第２板状部材５０は、電子デバイス１２００の下面に露出している。そして、第２板状部材５０には、銅ポスト３ｈ及び銅ポスト３ｉが設けられている。銅ポスト３ｈは、下端が第２板状部材５０に接しており、上端が電子デバイス１２００の上面に露出している。銅ポスト３ｉは、下端が第２板状部材５０に接しており、上端は電子デバイス１１００の内部における半導体チップ５ｂと同程度の高さに位置している。そして、銅ポスト３ｉは、ボンディングワイヤ６により半導体チップ５ｂに結合されている。
【００６３】
ダイパッド４、第２板状部材５０及び複数の端子２は、同一のリードフレームに設けられており、ダイシングによって切り離された板状部材である。電子デバイス１２００は、互いに電気的に接続されていないダイパッド４及び第２板状部材５０を有し、ダイパッド４に半導体チップ５ａ及び半導体チップ５ｂが設けられ、第２板状部材５０に銅ポスト３ｈ及び銅ポスト３ｉが設けられている。銅ポスト３ｈと銅ポスト３ｉとは、第２板状部材５０を介して電気的に結合されているので、電子デバイス１２００は、電子デバイス１０００と同様に、電子デバイス１２００の上面に実装される電子部品１０と、電子デバイス１２００の内部の半導体チップ５ｂとを電気的に接続することができる。
【００６４】
［実験結果］
図１７は、図２に示した電子デバイス１００の放熱性を確認する実験結果を示す図である。図１７においては、銅ポスト３を有する電子デバイス１００と銅ポストを有しない電子デバイス２０００とを比較した結果を示している。
【００６５】
（実験内容）
電子デバイス１００及び電子デバイス２０００のそれぞれの上面に載置したインダクタに通電した状態でのインダクタの表面温度を測定した。具体的には、電子デバイス１００及び電子デバイス２０００に内蔵する半導体チップ５には通電せず、電子デバイス１００及び電子デバイス２０００の上面にインダクタ（ＴＤＫ株式会社製ＴＦＭ２５２０１２＿４Ｒ７）を実装した状態で、電子デバイス１００を実装したプリント基板のパターン及び銅線を介して、インダクタに電流を流した。インダクタに流す電流を０［ｍＡ］から１６００［ｍＡ］まで変化させた場合のインダクタの表面温度の変化を測定した。
【００６６】
（実験結果の検討）
図１７の横軸は、インダクタに流した電流値を示しており、縦軸はインダクタの表面温度を示している。実線は、銅ポスト３を有する電子デバイス１００の表面温度の変化を示しており、破線は、銅ポストを有しない電子デバイス２０００の表面温度の変化を示している。
【００６７】
銅ポストを有しない電子デバイス２０００においては、電流値が１４００［ｍＡ］に達した時点での温度が９０℃以上になっている。これに対して、電子デバイス１００においては、電流値が１４００［ｍＡ］に達した時点での温度が約６０℃であり、電子デバイス２０００に比べて大幅に温度が低い。この温度差は、電子デバイス１００が銅ポスト３を有することに起因すると考えられる。この実験結果から、電子デバイス１００が、断面積が大きな銅ポスト３を有することにより、大電流を流す電子素子を搭載した場合の放熱性が良好になり、小型化を実現できることを確認できた。
【００６８】
＜まとめ＞
以上説明したように、本実施形態に係る電子デバイスは、半導体チップ５と電気的に結合した、パッケージ１の下に露出する複数の端子２と、パッケージ１の下面から上面まで貫通し、断面積が端子２の面積よりも大きい銅ポスト３を有する。銅ポスト３の断面積が大きいことにより、従来のスルーホールにより基板を貫通させる構成や、端子２と同程度の断面積の銅ポスト３を用いる構成に比べて、電気抵抗が小さくなる。電子デバイスがこのような構成を有することにより、電気抵抗による熱の発生量が少なく、放熱性も高くなるので、大電流を流す電子素子を実装できる電子デバイスの小型化を実現することが可能になる。
【００６９】
なお、銅ポスト３の断面積が端子２と同程度になるように構成する場合においても、電子デバイスの製造工程において銅ポスト３がリードフレームに接続されていないことにより、以下のような効果も生じる。従来の半導体パッケージの製造に用いられるリードフレームにおいては、全ての端子が、ハンガーリードを介してリードフレームにおける垂直クロスバー又は水平クロスバーと端子と接続されていた。そして、パッケージの筐体となる樹脂を注入した後のダイシング工程においてハンガーリードを切断することにより、半導体パッケージを製造していた。したがって、パッケージの上面に露出する端子の一部の領域が、パッケージの側面に露出していた。
【００７０】
パッケージの上面に露出する端子の一部の領域が、パッケージの側面に露出すると、パッケージの上面に実装された電子デバイスに通電される信号が、パッケージの側面にも表れてしまう。その結果、当該パッケージと隣接する他の電子デバイスとの距離を十分に確保する必要があり、パッケージが搭載される装置の小型化を妨げる要因になっていた。
【００７１】
これに対して、パッケージの側面に銅ポスト３が露出していない実施の形態に係る電子デバイスにおいては、銅ポスト３を流れる電流が近傍の他の電子デバイスに与える影響が小さい。したがって、上記の実施の形態に係る電子デバイスを用いることで、装置内の電子デバイスの実装密度を高めることができる。
【００７２】
また、銅ポスト３に電子部品を実装できるようにすることで、電子部品を電子デバイスに内蔵させる場合と異なり、内蔵させる電子部品の種類ごとにリードフレームを設計・製造する必要がない。さらに、銅ポスト３の位置や断面積を変えることにより、同一特性で形状が異なる電子部品を使用することが可能になる。このように、製造時にリードフレームに接続されていない銅ポスト３に電子部品を実装できるようにすることで、電子デバイスの設計・製造の自由度が向上するという効果も奏する。
【００７３】
本発明の実施の形態は、第１の実施形態〜第１２の実施形態に限定されるものではなく、本発明は多様な形態に適用することができる。図１６は、本発明の適用範囲の一例を示す表である。半導体チップの実装方法としては、ダイアタッチフィルムによる実装、チップスタック形態での実装、マルチチップパッケージ（ＭＣＰ）形態での実装、及びフリップチップ（ＦＣ）実装等の各種の実装方法を採用することができる。なお、フリップチップ実装以外の形態は、ダイパッド（ＤＰ）がある構成、及びダイパッドがない構成の両方に適用することができる。
【００７４】
また、銅ポスト３の形態としては、一つの電子素子を実装するための一対の銅ポストを有する構成、複数の電子素子を実装するための複数対の銅ポスト３を有する構成を採用することができる。また、第１０の実施形態及び第１１の実施形態のように、ワイヤボンディングを用いて半導体チップ５と銅ポスト３とを接続する形態も採用することができる。
【００７５】
以上、本発明の実施の形態、およびいくつかの実施の形態をもとに説明した。これらの任意の組み合わせによって生じる新たな実施の形態も、本発明の実施の形態に含まれる。組み合わせによって生じる新たな実施の形態の効果は、もとの実施の形態の効果を合わせ持つ。また本発明の技術的範囲は上記実施の形態に記載の範囲には限定されず、その要旨の範囲内で種々の変形及び変更が可能である。
【符号の説明】
【００７６】
１  パッケージ
２  端子
３  銅ポスト
４  ダイパッド
５  半導体チップ
６  ボンディングワイヤ
７  ダイアタッチフィルム
８  片面接着テープ
９  半田バンプ
１０  電子部品
２０  リードフレーム
２１  水平クロスバー
２２  垂直クロスバー
３０  フィルム
１００  電子デバイス
２００  電子デバイス
３００  電子デバイス
４００  電子デバイス
５００  電子デバイス
６００  電子デバイス
７００  電子デバイス
８００  電子デバイス
９００  電子デバイス
１０００  電子デバイス
１１００  電子デバイス
１２００  電子デバイス
【図１】
2018125530.tif 000003
【図２】
2018125530.tif 000004
【図３】
2018125530.tif 000005
【図４】
2018125530.tif 000006
【図５】
2018125530.tif 000007
【図６】
2018125530.tif 000008
【図７】
2018125530.tif 000009
【図８】
2018125530.tif 000010
【図９】
2018125530.tif 000011
【図１０】
2018125530.tif 000012
【図１１】
2018125530.tif 000013
【図１２】
2018125530.tif 000014
【図１３】
2018125530.tif 000015
【図１４】
2018125530.tif 000016
【図１５】
2018125530.tif 000017
【図１６】
2018125530.tif 000018
【図１７】
2018125530.tif 000019